(57)【特許請求の範囲】
【請求項１】
デッキ材取付部材の上面に複数のデッキ材を設け、この隣接した２つのデッキ材をデッキ材押えでデッキ材取付部材の上面に押しつけ保持した建物用デッキであって、
前記デッキ材は、短手方向両端面に長手方向に連続した凹部を有する長尺材で、
前記デッキ材押えは、デッキ材取付部材の上面に接してビスで固着される本体と、隣接した２つのデッキ材の凹部に接してデッキ材取付部材の上面に押しつける一対の押え片を有し、
前記デッキ材の短手方向両端面は、その凹部よりも上方部分が凹部よりも下方部分よりも突出していることを特徴とする建物用デッキ。
【請求項２】
デッキ材押えの一対の押え片は、その端部が凹部に入り込み易くするために上向き斜めである請求項１記載の建物用デッキ。
【発明の詳細な説明】
【技術分野】
【０００１】
本発明は、建物のバルコニー等のデッキ材取付部材の上面に複数のデッキ材を取付けた建物用デッキに関する。
【背景技術】
【０００２】
特許文献１に、デッキ材のバルコニー、ベランダ等の根太にデッキ材を取付けた建物用デッキが開示されている。
具体的には、デッキ材の左右側壁の底部に、その左右側縁よりも突出した段部を形成し、左右に隣接したデッキ材の段部に跨って止板を載置し、この止板からビスを根太にねじ込んでデッキ材を根太に取付けている。
そして、前記デッキ材の左右側壁の段部よりも下方部分が、段部よりも上方部分よりも突出している。
【０００３】
【特許文献１】特開平１１−２８０１４４号公報
【発明の開示】
【発明が解決しようとする課題】
【０００４】
前述した従来の建物用デッキによれば、デッキ材を根太に取付けるビスがデッキ材の表面に露出しないので、外観の見栄えが良い。
しかしながら、前述した従来の建物用デッキは、止板の幅方向中央部を通してビスを根太にねじ込み、そのビスのねじ込み力で止板の幅方向両側部を隣接したデッキ材の段部にそれぞれ押しつけてデッキ材を根太に取付けているから、そのビスのねじ込み力で止板が下向きに湾曲変形しようとするので、ビスのねじ込み力を大きくできずにデッキ材の取付強度が十分でないことがある。
また、デッキ材の左右側壁の段部よりも下方部分が、段部よりも上方部分よりも突出しているので、隣接したデッキ材の左右側壁間の寸法が、段部を境として下方部分が小さく、上方部分が大きいから、止板、ビスがデッキ材の上から見え易く、見栄えが悪い。
【０００５】
本発明の目的は、デッキ材を取付けるビスがデッキ材の表面に露出せずに外観の見栄えが良いと共に、デッキ材の取付強度を十分とすることができ、しかもデッキ材押え、ビスがデッキ材の上から見えづらく、見栄えが良い建物用デッキを提供することである。
【課題を解決するための手段】
【０００６】
本発明は、デッキ材取付部材の上面に複数のデッキ材を設け、この隣接した２つのデッキ材をデッキ材押えでデッキ材取付部材の上面に押しつけ保持した建物用デッキであって、
前記デッキ材は、短手方向両端面に長手方向に連続した凹部を有する長尺材で、
前記デッキ材押えは、デッキ材取付部材の上面に接してビスで固着される本体と、隣接した２つのデッキ材の凹部に接してデッキ材取付部材の上面に押しつける一対の押え片を有し、
前記デッキ材の短手方向両端面は、その凹部よりも上方部分が凹部よりも下方部分よりも突出していることを特徴とする建物用デッキである。
【０００８】
また、本発明においては、デッキ材押えの一対の押え片は、その端部が凹部に入り込み易くするために上向き斜めであることが好ましい。
このようにすれば、デッキ材の取付け作業が簡単である。
【発明の効果】
【０００９】
請求項１に係る発明によれば、デッキ材を取付けるビスがデッキ材の表面に露出せずに外観の見栄えが良い。
また、デッキ材押えの本体はデッキ材取付部材の上面に接しているから、ビスの締付け力で変形することがなく、デッキ材の取付強度を十分とすることができる。
また、デッキ材の短手方向両端面は、その凹部よりも上方部分が凹部よりも下方部分よりも突出しているので、隣接した２つのデッキ材の短手方向端面間の寸法が、凹部を境として上方部分が小さく、下方部分が大きいから、デッキ材押え、ビスがデッキ材の上から見えづらく、見栄えが良い。
【発明を実施するための最良の形態】
【００１０】
図１と図２と図３に示すように、左右の妻梁１と前桁２と中間桁３で平面略コ字状のバルコニー骨組体４を形成してある。
前記妻梁１は図１に示すように、第１妻梁（躯体側の妻梁）１−１と第２妻梁（中間の妻梁）１−２と第３妻梁（前桁側の妻梁）１−３を備え、各妻梁は上弦材５と下弦材６に亘って複数のラチス材７を斜めに連結したトラス構造体である。
前記第１妻梁１−１と第３妻梁１−３は同一長さで、第２妻梁１−２は２倍の長さである。
前記第１妻梁１−１の上弦材５、下弦材６が躯体取付柱８で建物躯体９に取付けられる。
前記第１妻梁１−１の上弦材５、下弦材６と第２妻梁１−２の上弦材５、下弦材６が第１柱１０で連結される。
前記第２妻梁１−２の上弦材５、下弦材６と第３妻梁１−３の上弦材５、下弦材６が第２柱１１で連結される。
【００１１】
前記前桁２は図２に示すように、妻梁１と同様に上弦材５と下弦材６に複数のラチス材７を斜めに連結したトラス構造体である。
この前桁２の上弦材５、下弦材６と第３妻梁１−３の上弦材５、下弦材６が連結柱１２で所定角度、例えば９０度に連結される。
【００１２】
前記中間桁３は第１・第２・第３中間桁３−１、３−２、３−３を備え、各中間桁３は前桁２と同様に上弦材５と下弦材６に複数のラチス材７を斜めに連結したトラス構造体である。
第１中間桁３−１の上弦材５、下弦材６が左右の第１柱１０間に連結される。
第２中間桁３−２の上弦材５、下弦材６が左右の第２妻梁１−２の上弦材５、下弦材６の長手方向中間部にそれぞれ連結される。
第３中間桁３−３の上弦材５、下弦材６は左右の第２柱１１間に連結される。
【００１３】
前記左右の躯体取付柱８間に亘ってデッキ材受け１３が取付けてある。
【００１４】
次にバルコニー骨組体４を組立る作業手順を説明する。
（１）デッキ材受け１３を取付けた左右一対の躯体取付柱８を建物躯体９に取付ける。
（２）左右一対の第１妻梁１−１を各躯体取付柱８にそれぞれ連結する。
（３）あらかじめ左右の第１柱１０間に第１中間桁３−１を連結し、その左右の第１柱１０を左右の第１妻梁１−１に連結する。
（４）あらかじめ左右の第２妻梁１−２間に第２中間桁３−２を連結し、その左右の第２妻梁１−２を左右の第１柱１０に連結する。
（５）あらかじめ左右の第２柱１１間に第３中間桁３−３を連結し、その左右の第２柱１１を左右の第２妻梁１−２に連結する。
（６）左右の第２柱１１に左右の第３妻梁１−３を連結する。
（７）左右の第３妻梁１−３間に前桁２を連結する。
【００１５】
前述のようにしてバルコニー骨組体４を組立るので、その組立順序を変えると共に、組立る妻梁、前桁、柱の種類を変更することで奥行の異なるバルコニー骨組体４を組立できる。
例えば、図４に示すように第２妻梁１−２と第３妻梁１−３を備え奥行が短かいバルコニー骨組体４を組立できる。
【００１６】
また、図５に示すように第２妻梁１−２が２つ連続した奥行の長いバルコニー骨組体４を組立できる。この場合には第２柱１１に前桁２を連結する。
【００１７】
また、図６に示すように第１妻梁１−１を備えた奥行の短かいバルコニー骨組体４を組立できる。この場合には左右の第１柱１０間に前桁２を連結する。
【００１８】
また、図７に示すように第２妻梁１−２を備えた奥行が中間長さのバルコニー骨組体４を組立できる。この場合には左右の第１柱１０間に前桁２を連結する。
【００１９】
前記第１・第２・第３妻梁１−１，１−２，１−３と前桁２は同一形状で、図８に示すように上弦材５、下弦材６は矩形中空形状の本体２０の内側面２０ａに取付片２１を一体的に設けたアルミ押出形材である。
前記ラチス材７は円形中空形状のアルミ押出形材の長手方向両端部を薄板状に押しつぶし加工した形状である。
ラチス材７の薄板状の端部７ａを上弦材５の取付片２１、下弦材６の取付片２１に固着具、例えばボルト・ナット２２でそれぞれ連結してある。
【００２０】
前記躯体取付柱８、第１柱１０、第２柱１１、連結柱１２は図８に示すように矩形中空形状で、同一大きさである。この各柱の１辺の寸法は前記上弦材５、下弦材６の幅方向よりも大きい。
各柱の一面に、コ字形状の上下一対の弦材ブラケット２３をボルト２４でそれぞれ取付ける。このボルト２４は柱の中空部に設けた弦材ブラケット用裏板２５に螺合する。
各弦材ブラケット２３が上弦材５、下弦材６の本体２０の中空部に嵌合し、ボルト２６で固着することで柱と上弦材５、下弦材６が連結される。
【００２１】
前記第１・第２・第３中間桁３−１，３−２，３−３は図９に示すように前記妻梁１、前桁２と同一形状である。
前記第１中間桁３−１と第３中間桁３−３は妻梁１と同様に第１柱１０、第２柱１１に連結される。
【００２２】
前記第２中間桁３−２は次のようにして第２妻梁１−２に連結される。
第２妻梁１−２の上弦材５、下弦材６の本体２０の内側面２０ｂにスペーサ２７を介して前記弦材ブラケット２３をボルト２４で取付ける。このボルト２４は前述と同様に本体２０内に設けた弦材ブラケット用裏板２５に螺合する。
弦材ブラケット２３を上弦材５、下弦材６の本体２０の中空部に嵌合し、ボルト２６で固着することで第２中間桁３−２が第２妻梁１−２に連結される。
【００２３】
前述のようにスペーサ２７を設けたことにより、第２中間桁３−２を第１・第３中間桁３−１，３−３と同一長さとすることができる。
【００２４】
図１０、図１１、図１２に示すように、各妻梁の外側面に側面雨樋３０を取付け、前桁２の前面に前面雨樋３１をそれぞれ取付ける。
【００２５】
図１３、図１４、図１５に示すように、各妻梁と前桁２と中間桁３とデッキ材受け１３に亘ってデッキ材３２を取付ける。
各妻梁の外側面と前桁２の前面に手摺３３をそれぞれ取付け、この手摺３３の下部で各妻梁、前桁２を覆うことでバルコニーとする。
【００２６】
図１６はデッキ材を外した状態の左右一側部を具体的に示す平面図、図１７は図１６のＡ−Ａ拡大断面図、図１８は図１６のＢ−Ｂ拡大断面図、図１９は図１６のＣ−Ｃ拡大断面図である。図１７と図１８と図１９にはデッキ材３２が図示してある。
前記側面雨樋３０と前面雨樋３１は図１７、図１８と図１９に示すように、上向コ字形状で、その内側部に取付横片４０を備えた同一の断面形状である。
前記第２妻梁１−２の上弦材５、各柱の上端部に上ブラケット４１がそれぞれ取付けてある。なお、躯体取付柱８には取付けていない。
前記第２妻梁１−２の下弦材６、各柱の上部寄りに下ブラケット４２がそれぞれ取付けてある。
【００２７】
前記上ブラケット４１は一側縦片４１ａと横片４１ｂと他側縦片４１ｃでほぼクランク形状で、その一側縦片４１ａの上部に横向片４１ｄが設けてある。
この一側縦片４１ａを上弦材５、各柱にボルト４３で固着して取付ける。
上ブラケット４１の横向片４１ｄに各雨樋の取付横片４０をビス４４で固着して取付ける。
【００２８】
前記左右の側面雨樋３０と前面雨樋３１は図１６に示すようにコーナー雨樋４５にそれぞれ連結される。
コーナー雨樋４５に排水ホース４６が接続し、この排水ホース４６が図１４に示す排水管４７に接続している。
【００２９】
前記下ブラケット４２は一側縦片４２ａと横片４２ｂと他側縦片４２ｃで略クランク形状で、その一側縦片４２ａが下弦材６、各柱にボルト４８で取付けられる。
【００３０】
前記手摺３３は複数の支柱５０間に格子ユニット５１を取付け、その支柱５０の上部に亘って笠木５２を取付けてある。
前記支柱５０の下部寄り２ヶ所が、前記上ブラケット４１の他側縦片４１ｃ、下ブラケット４２の他側縦片４２ｃにボルト５３でそれぞれ固着される。
このように、手摺３３の支柱５０は上下に離隔した２ヶ所で連結されるので、手摺３３を強固に取付けできる。
【００３１】
前記デッキ材受け１３は図２０に示すように、デッキ材受け片６０と取付縦片６１と上向きコ字状片６２とデッキ材支持片６３で断面略コ字状で、上向きコ字状片６２に下部取付片６４が一体的に設けてあり、その上向きコ字状片６２部分が雨樋６５を形成している。
デッキ材受け１３の長手方向両端部は躯体取付柱８の切欠部８ａに嵌まり込んで図１６に示すように躯体取付柱８よりも外方に突出し、蓋６６がビス６７で取付ける。このビス６７はビスホール６８に螺合する。
前記デッキ材受１３は図２０に示すように、取付縦片６１と下部取付片６４がコーチネジなどの固着具６９で建物躯体９に取付けてある。
【００３２】
図２１に示すように、前記デッキ材受１３の上向コ字状片６２と蓋６６との間に間隙が生じるようにしてある。
前記デッキ材受１３の長手方向両端部は側面雨樋３０の切欠部３０ａから内部に入り込み、デッキ材支持片６３がビス１３ａで側面雨樋３０の取付横片４０に連結される。
このようであるから、雨樋部６５に流れ落ちた雨水は側面雨樋３０に流出する。
【００３３】
前記デッキ材３２は押出成形による合成木材を使用し、図１７に示すように長手方向に連続した複数の中空部７０を有するほぼ矩形断面長尺材である。
デッキ材３２の下面３２ａは凹凸の無い平坦面で、短手方向両端面３２ｂは長手方向に連続した凹部７１を有し、この凹部７１よりも上部に水切片７２が長手方向に連続して一体的に設けてある。
前記デッキ材３２は図１５に示すように建物躯体９に対して直交する方向に向けて図１７、図１８、図１９、図２０に示すように前桁２、中間桁３、妻梁１の上面（上弦材５の上面）と各柱の上端面とデッキ材受１３のデッキ材支持片６３（つまり、バルコニー骨組体４の上面）に跨って短手方向に小間隙を置いて載置される。このバルコニー骨組体４を構成する前桁２、中間桁３、妻梁１、各柱、デッキ材支持片６３が本発明におけるデッキ材３２を取付けるデッキ材取付部材である。
【００３４】
隣接した２つのデッキ材３２はデッキ材押え７３で前記各上面、各柱の上端面、デッキ材受１３のデッキ材支持片６３に押しつけ保持される。
前記デッキ材押え７３は図２２に示すように、上向コ字形状の本体７４と、一対の押え片７５を有する断面形状で、デッキ材３２と略同一長さである。
前記本体７４がビス７６で上弦材５の上面に固着され、一対の押え片７５が隣接した２つのデッキ材３２の凹部７１に接している。
前記押え片７５の端部は凹部７１に入り込み易くするために上向き斜めとしてある。
【００３５】
前述のようであるから、隣接した２つのデッキ材３２間の小間隙に流れ込んだ雨水はデッキ材押え７３に沿って流れる。これによって、デッキ材押え７３は雨樋の機能を有する。
【００３６】
図１７に示すように、バルコニー骨組体４の左右端部に取付けたデッキ材３２の短手方向端面３２ｂ（水切り片７２）は妻梁１よりも側方に突出し側面雨樋３０の上方に位置している。
これにより、デッキ材３２から雨水が側面雨樋３０に確実に流れ落ちる。
側面雨樋３０には水密材７７が装着してあり、この水密材７７にデッキ３２の下面３２ａが接して水密している。
これにより、デッキ材３２と側面雨樋３０との接触部から雨水が内側に回り込むことがない。
【００３７】
図１９に示すように、デッキ材３２の長手方向一端部は前桁２よりも前方に突出し前面雨樋３１の上方に位置している。
これにより、デッキ材３２から雨水が前面雨樋３１に確実に流れ落ちる。
前面雨樋３１には水密材７７が装着してあり、この水密材７７にデッキ３２の下面３２ａが接して水密している。
これにより、デッキ材３２と前面雨樋３０との接触部から雨水が内側に回り込むことがない。
デッキ材３２の長手方向一端部にはキャップ７８が取付けてあり、中空部７０が見えないようにしてある。
【００３８】
図２０に示すように、デッキ材３２の長手方向他端部はデッキ材受け１３の雨樋部６５まで突出している。
これにより、デッキ材３２から雨水が雨樋部６５に確実に流れ落ちる。
デッキ材受け１３には水密材７７が装着してあり、この水密材７７にデッキ３２の下面３２ａが接して水密している。
これにより、デッキ材３２とデッキ材受け１３との接触部から雨水が内側に回り込むことがない。
【００３９】
前述のように、妻梁１（第１・第２・第３妻梁１−１、１−２、１−３）と前桁２と中間桁３は同一形状で、同一高さであるから、バルコニーを下から見上げた時に見栄えが良い。
また、デッキ材３２の下面３２ａと、デッキ材押え７３の下面が面一に連続するので、バルコニーを下から見上げた時にデッキ材３２、デッキ材押え７３（床の下面）がフラットに連続して見えるから、見栄えが良い。
【００４０】
前述の実施の形態では中間桁３を取付けしたが、バルコニーの奥行が短かい時には中間桁３を設けなくとも良い。例えば前述の図６に示すバルコニーの場合には、前桁２の上面とデッキ材受け１３とに亘ってデッキ材３２を取付ければ良い。
【００４１】
次に手摺３３の具体形状を説明する。
各手摺３３の支柱５０は図１３、図１４、図１５に示すように同一の所定のピッチ（例えば約９００ｍｍピッチ）で取付けられる。この支柱５０は図１６に示すように凹部５４を有する。
前記格子ユニット５１は図１６、図１７に示すように、縦格子５１ａと横格子５１ｂを有し、上胴縁５５と下胴縁５６に亘って取付けられる。
この下胴縁５５と上胴縁５６を隣接した２つの支柱５０の凹部５４間に上から挿入して取付けられる。
笠木５２は柱５０の上部にブラケット５７を介して取付けられ、図１３、図１４、図１５に示すように妻梁１に取付けた手摺３３の笠木５２の一端部と前桁２に取付けた笠木５２の両端部はコーナー部品５８で連続している。
妻梁１に取付けた笠木５２の他端部にキャップ５９が取付けてあり、建物躯体９と隙間を設け、連結されていない。
【００４２】
このようであるから、柱５０が所定のピッチで取付けてあるのでバルコニーの開口が大きくなった時には柱５０の本数が多くなるだけであり、間口の大きさに関係なく手摺３３を強固に取付けできる。
また、手摺３３（笠木、柱など）が建物躯体９に連結されていないので、建物躯体側に戸袋等の突起物があっても手摺３３を切詰めるだけで容易に対応でき、強度にも影響しない。
また、バルコニーの外部階段を取付けた場合には手摺３３に人の出入口を設ける必要があるが、その人の出入口部分の両側に柱５０を取付けることで強度的に影響されずに出入口を有する手摺とすることができる。
【００４３】
次にデッキ材の取付けの他の実施の形態を説明する。図２３に示すように、デッキ材押え７３を中空本体７７に一対の押え片７８を一体的に設けた短尺形状とする。
本体７７をビス７６で固定し、一対の押え片７８をデッキ材３２の凹部７１に押しつけてデッキ材３２を取付ける。
【００４５】
以上の実施の形態では、妻梁１、前桁２、中間桁３をトラス構造体としたが中空アルミ一体形材、型鋼材などを用いても良い。
また、デッキ材３２を奥行方向に取付けたが、開口方向に取付けても良い。
また、根太を用いてデッキ材を支持しても良い。
【図面の簡単な説明】
【００４６】
【図１】バルコニー骨組体の側面図である。
【図２】バルコニー骨組体の正面図である。
【図３】バルコニー骨組体の平面図である。
【図４】奥行の異なるバルコニー骨組体の側面図である。
【図５】奥行の異なるバルコニー骨組体の側面図である。
【図６】奥行の異なるバルコニー骨組体の側面図である。
【図７】奥行の異なるバルコニー骨組体の側面図である。
【図８】柱と上弦材、下弦材の連結部の分解斜視図である。
【図９】妻梁と中間桁の連結部の分解斜視図である。
【図１０】雨樋を備えたバルコニー骨組体の側面図である。
【図１１】雨樋を備えたバルコニー骨組体の正面図である。
【図１２】雨樋を備えたバルコニー骨組体の平面図である。
【図１３】バルコニーの側面図である。
【図１４】バルコニーの正面図である。
【図１５】バルコニーの平面図である。
【図１６】デッキ材を外した状態の横断面図である。
【図１７】図１６のＡ−Ａ拡大断面図である。
【図１８】図１６のＢ−Ｂ拡大断面図である。
【図１９】図１６のＣ−Ｃ拡大断面図である。
【図２０】妻梁の躯体取付部の拡大側面図である。
【図２１】側面雨樋とデッキ材受けの斜視図である。
【図２２】デッキ材取付部の拡大側面図である。
【図２３】デッキ材取付部の他の実施の形態を示す拡大側面図である。
【符号の説明】
【００４７】
１…妻梁、１−１…第１妻梁（躯体側の妻梁）、１−２…第２妻梁（中間の妻梁）、１−３…第３妻梁（前桁側の妻梁）
２…前桁、３…中間桁、３−１…第１中間桁、３−２…第２中間桁、３−３…第３中間桁、４…バルコニー骨組体、５…上弦材、６…下弦材、７…ラチス材、８…躯体取付柱、１０…第１柱、１１…第２柱、１２…連結柱、１３…デッキ材受け、２３…弦材ブラケット、２７…スペーサ、３０…側面雨樋、３１…前面雨樋、３２…デッキ材、３３…手摺、４１…上ブラケット、４２…下ブラケット、７７…水密材。
【図１】
0003709528.tif 000002
【図２】
0003709528.tif 000003
【図３】
0003709528.tif 000004
【図４】
0003709528.tif 000005
【図５】
0003709528.tif 000006
【図６】
0003709528.tif 000007
【図７】
0003709528.tif 000008
【図８】
0003709528.tif 000009
【図９】
0003709528.tif 000010
【図１０】
0003709528.tif 000011
【図１１】
0003709528.tif 000012
【図１２】
0003709528.tif 000013
【図１３】
0003709528.tif 000014
【図１４】
0003709528.tif 000015
【図１５】
0003709528.tif 000016
【図１６】
0003709528.tif 000017
【図１７】
0003709528.tif 000018
【図１８】
0003709528.tif 000019
【図１９】
0003709528.tif 000020
【図２０】
0003709528.tif 000021
【図２１】
0003709528.tif 000022
【図２２】
0003709528.tif 000023
【図２３】
0003709528.tif 000024